(57)【要約】【課題】  床面とパーティションの間の様々な間隙に合わせて施工できる仕切り部材を提供する。【解決手段】  本発明の仕切り部材１は、床面とパーティションの間に設置される仕切り部材１であって、前記床面９１に取り付けられるベース部２と、前記ベース部２の上方に立ち上げられた起立壁部３と、を有し、前記起立壁部３には、奥行き方向に延びる複数の分断用薄肉部４３が上下方向に並んで設けられている。【選択図】  図１
2018003416.tif 000002
【特許請求の範囲】
【請求項１】
床面とパーティションの間に設置される仕切り部材であって、
前記床面に取り付けられるベース部と、前記ベース部の上方に立ち上げられた起立壁部と、を有し、
前記起立壁部の立ち上がり高さを調整する調整手段を有する、仕切り部材。
【請求項２】
前記調整手段として、前記起立壁部が、上下方向に並んで形成され且つ起立壁部の幅よりも小さい幅を有する複数の分断用薄肉部を有する、請求項１に記載の仕切り部材。
【請求項３】
前記調整手段として、前記起立壁部が、前記ベース部に連結された下壁部と、前記下壁部に対して上下移動可能な状態で下壁部に取り付けられた上壁部と、を有する、請求項１または２に記載の仕切り部材。
【請求項４】
前記調整手段として、前記起立壁部が、互いに着脱可能な複数の長状板部を有する、請求項１乃至３の何れか一項に記載の仕切り部材。
【請求項５】
前記起立壁部とベース部の境界部分である隅部が、弧状面とされている、請求項１乃至４の何れか一項に記載の仕切り部材。
【請求項６】
床面と、床面の上方に間隙を有して設置されたパーティションと、前記間隙に介在され且つ前記床面上に前記ベース部が固定された請求項１乃至５の何れか一項の仕切り部材と、を有する、床面仕切り構造。
【発明の詳細な説明】
【技術分野】
【０００１】
本発明は、マンションやアパートなどの集合住宅、オフィスビル、商業施設ビルなどの集合建築物の、ベランダや共用廊下などの床面とパーティションの間に設置される仕切り部材などに関する。
【背景技術】
【０００２】
マンションやアパートなどの集合住宅、オフィスビル、商業施設ビルなどの集合建築物は、通常、隣接する部屋が一定の区画ごとに壁で仕切られている。また、集合建築物のベランダや共用廊下などの床面は、部屋の区画と一体的に区画されている場合が多い。そのような床面を区画ごとに区切るため、その境界部にパーティション（いわゆる仕切り板）が設置されることがある。前記パーティションは、通常時には、防音及び目隠しとして機能し、火災発生時等の非常時には、居住者が突き破って互いに隣接する区画へ抜け出ることができるように構成されている。具体的には、パーティションは、上下横枠及び左右縦枠を含む金属製の枠体に、非常時に居住者が破壊し易い材料で形成されたボードが取り付けられて構成されている。かかるパーティションは、その金属製の枠体の下端がベランダなどの床面から離れた状態で、建築物の壁面に取り付けられる。従って、パーティションの下端と床面の間には、間隙が設けられている。このような間隙を有するので、その間隙を通じて、床面を水掃除したときや植物に水やりをしたときの排水、雨水、ゴミなどが入ってくることがある。また、前記間隙が大きい場合には、プライバシー面での懸念も生じる。
【０００３】
特許文献１には、床面に取り付ける水平部と、水平部の全長に亘って立ち上がる立ち上がり部と、を有し、排水溝が水平部の全長に亘って水平部の上面に形成された排水仕切り部材が開示されている。かかる排水仕切り部材は、集合住宅の隣接する各住居のバルコニーにおいて、排水が隣接する住居のバルコニーへ流出するのを防止するために設置される。そして、排水仕切り部材の水平部をパーティションの下方の床面に取り付けることにより、立ち上がり部がパーティションの下端と床面との間隙に介在する（同文献の図１１）。この立ち上がり部の介在によって、床面においても隣接する区画を区切ることができる。
【０００４】
しかしながら、前記間隙の高さ（間隙の上下方向長さ）は、一定ではなく、建築物ごとに異なっている場合が多い。このため、排水仕切り部材の立ち上がり部の高さが高すぎると、立ち上がり部の上端にパーティションの下端が当たってしまい、低すぎると充分な止水効果や防塵効果が得られず、プライバシー面での懸念も生じることとなる。
【先行技術文献】
【特許文献】
【０００５】
【特許文献１】特開２０１４−１１８７０８号公報
【発明の概要】
【発明が解決しようとする課題】
【０００６】
本発明の第１の目的は、床面とパーティションの間の様々な間隙を適正にして施工できる仕切り部材を提供することである。
本発明の第２の目的は、容易に施工でき、床面とパーティションの間の間隙を略塞いだ床面仕切り構造を提供することである。
【課題を解決するための手段】
【０００７】
本発明の仕切り部材は、床面とパーティションの間に設置される仕切り部材であって、前記床面に取り付けられるベース部と、前記ベース部の上方に立ち上げられた起立壁部と、を有し、前記起立壁部の立ち上がり高さを調整する調整手段を有する。
【０００８】
本発明の好ましい仕切り部材は、前記調整手段として、前記起立壁部が、上下方向に並んで形成され且つ起立壁部の幅よりも小さい幅を有する複数の分断用薄肉部を有する。
本発明の好ましい仕切り部材は、前記調整手段として、前記起立壁部が、前記ベース部に連結された下壁部と、前記下壁部に対して上下移動可能な状態で下壁部に取り付けられた上壁部と、を有する。
本発明の好ましい仕切り部材は、前記調整手段として、前記起立壁部が、互いに着脱可能な複数の長状板部を有する。
本発明の好ましい仕切り部材は、前記起立壁部とベース部の境界部分である隅部が、弧状面とされている。
【０００９】
本発明の別の局面によれば、床面仕切り構造を提供する。
本発明の床面仕切り構造は、床面と、床面の上方に間隙を有して設置されたパーティションと、前記間隙に介在され且つ前記床面上に前記ベース部が固定された上記仕切り部材と、を有する。
【発明の効果】
【００１０】
本発明の仕切り部材によれば、起立壁部の高さを容易に変更できるので、施工場所の間隙の高さに合わせて起立壁部の高さを調整できる。かかる仕切り部材を用いて施工することにより、床面とパーティションの間隙を略塞いだ起立壁部を有する床面仕切り構造を構築できる。
【図面の簡単な説明】
【００１１】
【図１】第１実施形態の仕切り部材の斜視図。
【図２】同仕切り部材の正面図。
【図３】同仕切り部材の左側面図。
【図４】同仕切り部材の平面図。
【図５】同仕切り部材の底面図。
【図６】同仕切り部材の一部拡大正面図。
【図７】仕切り部材を床面に施工した床面仕切り構造を示す斜視図。
【図８】図７の矢印ＶＩＩＩ方向から見た左側面図。ただし、床面などの建築物を断面で示している。
【図９】図８のＩＸ−ＩＸ線で切断した端面図。
【図１０】第１実施形態の仕切り部材の起立壁部の高さを調整する途中を示す斜視図。
【図１１】仕切り部材の起立壁部の高さを低くした後の左側面図。
【図１２】第１実施形態の第１変形例の仕切り部材の正面図。
【図１３】第１実施形態の第２変形例の仕切り部材の正面図。
【図１４】第２実施形態の仕切り部材の斜視図。
【図１５】同仕切り部材を分解した正面図。
【図１６】第２実施形態の仕切り部材の起立壁部の高さを低くした後の斜視図。
【図１７】第２実施形態の変形例の仕切り部材の斜視図。
【図１８】第３実施形態の仕切り部材の斜視図。
【図１９】第３実施形態の仕切り部材の起立壁部の高さを調整する途中を示す斜視図。
【図２０】第３実施形態の変形例の仕切り部材の斜視図。
【図２１】第４実施形態のスペーサーの左側面図。
【図２２】同スペーサーの斜視図。
【図２３】スペーサーを仕切り部材に取り付けた状態を示す左側面図。
【図２４】同斜視図。
【図２５】スペーサーを取り付けた仕切り部材を床面に施工した床面仕切り構造を示す側面図（同床面仕切り構造を、図７の矢印ＶＩＩＩと同様な方向から見た側面図）。
【図２６】第５実施形態の第１例の仕切り部材の左側面図。
【図２７】第５実施形態の第２例の仕切り部材の斜視図。
【図２８】第５実施形態の第３例の仕切り部材の左側面図。
【図２９】第６実施形態の仕切り部材の斜視図。
【図３０】同仕切り部材の組み立て途中を示す斜視図。
【図３１】第６実施形態の仕切り部材を床面に施工した床面仕切り構造を示す端面図（同床面仕切り構造を、図８のＩＸ−ＩＸ線と同様な箇所で切断した端面図）。
【発明を実施するための形態】
【００１２】
以下、本発明について、適宜図面を参照しつつ説明する。
本明細書において、「〜」で表される数値範囲は、「〜」の前後の数値を下限値及び上限値として含む数値範囲を意味する。
【００１３】
［第１実施形態］
第１実施形態は、調整手段として分断用薄肉部が起立壁部に設けられている仕切り部材に関する。
図１は、第１実施形態の仕切り部材の斜視図であり、図２は、その正面図、図３は、その左側面図、図４は、その平面図、図５は、その底面図、図６は、起立壁部の一部分を拡大した正面図である。右側面図は、左側面図と同様である。また、図３乃至図５において、形状が変わらない中間部分を省略している（図１１についても同様）。
図１乃至図６において、仕切り部材１は、ベース部２と、ベース部２から上方に立ち上げられた起立壁部３と、を有する。
ベース部２は、仕切り部材１を床面に取り付ける際の床面に対する固定部である。
ベース部２は、例えば、図４及び図５に示すように、平面視略矩形状である。本明細書において、「略」は、本発明の属する技術分野において許容される形状を意味する。平面視略矩形状は、略正方形状又は略長方形状をいう。略正方形状又は略長方形状などの略多角形状の「略」は、例えば、角部が面取りされている形状、辺の一部が僅かに膨らむ又は窪んでいる形状、辺が若干湾曲している形状などが含まれる。
ベース部２は、全体として略平板状に形成されている。図示例のベース部２の裏面及び表面は、略平坦状である。
【００１４】
図２において、ベース部２の幅２Ｗは、特に限定されないが、余りに小さいと床面に対する接着面積が小さくなり、余りに大きいと仕切り部材１の取り扱い性が低下する。かかる観点から、ベース部２の幅２Ｗは、例えば、３０ｍｍ〜３００ｍｍであり、好ましくは５０ｍｍ〜２００ｍｍであり、より好ましくは７０ｍｍ〜１８０ｍｍである。ベース部の幅２Ｗが前記範囲であることにより、仕切り部材１を床面に施工し易くなり、特に、パーティションの下方への施工性に優れた仕切り部材１を構成できる。
図３において、ベース部２の奥行き２Ｌは、特に限定されず、施工場所の奥行きに応じて適宜設定でき、例えば、１０００ｍｍ〜２０００ｍｍである。
ベース部２の厚みは、特に限定されないが、余りに小さいと仕切り部材１の取り扱い性が低下し、余りに大きいと奥行き方向の長さ調整の際にベース部２を切断することが困難となる上、材料コストが増加する。かかる観点から、ベース部２の厚みは、１ｍｍ〜５ｍｍであり、好ましくは１．５ｍｍ〜４ｍｍである。
なお、図示例では、ベース部２の幅２Ｗは１００ｍｍで、奥行き２Ｌは１４００ｍｍで、厚みは２ｍｍである。
【００１５】
起立壁部３は、ベース部２の幅方向略中間部から上方に立ち上げられている。起立壁部３は、ベース部２の幅方向左寄り又は右寄りの位置に設けられていてもよいが、安定的に仕切り部材１を施工できることから、起立壁部３は、図示例のように、幅方向中央部に設けられていることが好ましい。
起立壁部３は、全体的に板状であり、ベース部２の表面に対して略直交するように立ち上げられている。
【００１６】
また、起立壁部３とベース部２の境界部分である隅部は、起立壁部３の側面とベース部２の表面が直角状に交わるように形成されていてもよいが、図示例のように、弧状面を有して形成されていることが好ましい。なお、起立壁部３とベース部２の隅部は、起立壁部３の左側及び右側にあるが、好ましくは、図示例のように、両側の隅部が弧状面とされている。なお、ここでの弧状面は、下斜めに膨らむ凹面である。
前記弧状面のアールは、特に限定されないが、例えば、３〜３０であり、好ましくは５〜１０である。本明細書において、アールは、例えば３アールの場合、半径３ｍｍの円によって規定される円弧を意味する。
起立壁部３とベース部２の隅部が弧状面とされていることにより、角部分がなく、起立壁部３とベース部２の境界部分が滑らかな連続した曲面となる。かかる隅部には、水、汚れ、粉塵などが溜まり難く、また、水、汚れ、粉塵などが溜まった場合でも容易に除去することができる。特に、図示例のように、ベース部２の表面に突起や凹部（凹凸）を設けない場合、床面からベース部２と起立壁部３の隅部までが連続した滑らかな面となるので、床面から水やゴミを前記隅部に掃き寄せて除去でき、清掃が容易となる。
【００１７】
起立壁部３は、ベース部２の奥行き方向全体に亘って延在されている。従って、起立壁部３の奥行きは、ベース部２の奥行き２Ｌと等しい。
図６において、起立壁部３の幅３Ｗは、特に限定されないが、余りに小さいと後述する分断用薄肉部において充分な強度を得るだけの厚みを確保できずに折れ曲がるおそれがあり、余りに大きいと奥行き方向の長さ調整をする際に切断することが困難になる。かかる観点から、起立壁部３の幅３Ｗは、１ｍｍ〜１０ｍｍが好ましく、２ｍｍ〜７ｍｍがより好ましい。
本発明においては、起立壁部３の高さを適宜調整できるので、調整前の起立壁部３の高さは、適宜設定できるが、余りに小さいと高さ調整の範囲が小さくなり、余りに大きいと仕切り部材１の取り扱い性が低下する。かかる観点から、図２に示すように、調整前の起立壁部３の高さ３Ｈは、例えば、３０ｍｍ〜１５０ｍｍであり、好ましくは、４０ｍｍ〜１００ｍｍである。
なお、図示例では、起立壁部３の幅３Ｗは３ｍｍで、高さ３Ｈは１００ｍｍである。
【００１８】
起立壁部３の左面及び左面には、それぞれ溝部４１，４２が形成されている。以下、起立壁部３の左面に形成された溝部４１を「左溝部」と、右面に形成された溝部４２を「右溝部」という。
左溝部４１及び右溝部４２は、起立壁部３の奥行き方向に延設されている。左溝部４１及び右溝部４２は、それぞれ独立して、起立壁部３の奥行き方向全体に亘って延在されていてもよく、或いは、一部分を除いて起立壁部３の奥行き方向に延在されていてもよい。好ましくは、図示例のように、左溝部４１及び右溝部４２は、それぞれ起立壁部３の奥行き方向全体に亘って形成される。
左溝部４１及び右溝部４２の正面視形状は、特に限定されず、図２及び図６に示すような、正面視略Ｖ字状のほか、特に図示しないが、正面視略Ｕ字状などでもよい。左溝部４１及び右溝部４２が略Ｖ字状の溝部であることにより、その尖った溝先端から起立壁部３を比較的容易に分断できる。一方、左溝部４１及び右溝部４２が正面視略Ｕ字状の溝部である場合、左溝部４１及び右溝部４２内に汚れが堆積し難くなる。
左溝部４１及び右溝部４２は、それぞれの溝先端が互いに対向するように、向かい合って配置されている。この左溝部４１と右溝部４２で挟まれた部分が、分断用薄肉部４３である。
【００１９】
また、左溝部４１及び右溝部４２は、それぞれ起立壁部３の上下方向において多段に形成されている。左溝部４１及び右溝部４２は、ベース部２の表面と平行に延設されている。従って、分断用薄肉部４３も、起立壁部３の上下方向に複数並んで形成されており、各分断用薄肉部４３は、ベース部２の表面に対して平行で奥行き方向に延設されている。
なお、図示例では、起立壁部３の下方部、例えば、起立壁部３のうちベース部２の表面から上方に２０ｍｍの領域は、高さ調整する必要性が少ないので、前記溝部４１，４２を設けない領域としている。このように起立壁部３の下方部に敢えて溝部を形成しないことにより、汚れの堆積を減少させることができる。もっとも、起立壁部３のうち、ベース部２の表面から高さ２０ｍｍまでの領域についても、前記溝部４１，４２を設けてもよい。
【００２０】
図６において、分断用薄肉部４３の幅４３Ｗは、起立壁部３の幅３Ｗよりも小さい。分断用薄肉部４３の幅４３Ｗは、特に限定されないが、余りに小さいと分断用薄肉部４３において折れ曲がるおそれがあり、余りに大きいと、分断用薄肉部４３において起立壁部３を分断し難くなる。かかる観点から、分断用薄肉部４３の幅４３Ｗは、０．５ｍｍ〜３ｍｍが好ましく、１ｍｍ〜２ｍｍがより好ましい。
起立壁部３は、分断用薄肉部４３（左溝部４１及び右溝部４２）にて、複数の長状板部３１に区画されている。概念的には、起立壁部３は、奥行き方向を長手とする側面視長方形状の複数の長状板部３１を有し、各長状板部３１が分断用薄肉部４３を介して上下に隣接して連結された構造からなる。
長状板部３１の奥行きは、起立壁部３の奥行きに等しい。
【００２１】
図６において、１つ当たりの長状板部３１の高さ３１Ｈは、特に限定されないが、余りに小さいと起立壁部３の高さ調整の段階が過度に多くなり、汚れが堆積し易く、さらに、強度が低下するおそれもある。一方、余りに大きいと、起立壁部３の高さ調整の段階が過度に少なくなり過ぎる。かかる観点から、長状板部３１の高さ３１Ｈは、５ｍｍ〜２０ｍｍが好ましく、７ｍｍ〜１５ｍｍがより好ましい。なお、長状板部３１の高さ３１Ｈは、上下方向における分断用薄肉部４３（左溝部４１及び右溝部４２）の形成間隔にほぼ等しい。また、複数の長状板部３１の高さ３１Ｈは、全て同じでもよく、或いは、一部の長状板部３１の高さが異なっていてもよく、或いは、全ての長状板部３１の高さが互いに異なっていてもよい。
後述するように、分断用薄肉部４３にて分断することにより、起立壁部３の高さを調整することから、この長状板部３１の高さは、起立壁部３の高さ調整の最小単位となる。つまり、起立壁部３の高さは、長状板部３１の高さ刻みで調整できる。例えば、全ての長状板部３１の高さが１０ｍｍである場合、起立壁部３の高さは、１０ｍｍ、２０ｍｍ、３０ｍｍ、・・・１０ｍｍ×長状板部の個数の範囲で短くすることができる。
【００２２】
分断用薄肉部４３（左溝部４１及び右溝部４２）の形成数は、概ね、起立壁部３の高さ３Ｈ／長状板部３１の高さ３１Ｈ、で決定できるので、これらの高さを考慮して設定される。
なお、図示例では、分断用薄肉部４３の幅４３Ｗは１ｍｍで、長状板部３１の高さ３１Ｈは、１０ｍｍで、分断用薄肉部４３（左溝部４１及び右溝部４２）の形成数は、８本である。ただし、最下段の分断用薄肉部４３よりも上方にある８つの長状板部３１は、同じ高さであるが、ベース部２の表面から最下段の分断用薄肉部４３までの長状板部３１は、前記８つの長状板部３１のそれぞれの高さよりも大きい。
【００２３】
ベース部２と起立壁部３は、一体的に形成されている。一体的に形成されたベース部２及び起立壁部３は、同じ形成材料から形成される。もっとも、後述するように、ベース部２と起立壁部３が別体で形成されていてもよい。
ベース部２と起立壁部３の形成材料は、特に限定されず、軟質樹脂などの軟質材料；硬質樹脂、木材、アルミニウムなどの金属などの硬質材料が挙げられる。成形容易であることから、ベース部２及び起立壁部３は合成樹脂で形成することが好ましく、さらに、分断用薄肉部４３にて容易に分断でき、施工性にも優れていることから、ベース部２及び起立壁部３は軟質樹脂で形成されていることが好ましい。軟質樹脂としては、塩化ビニル系樹脂、酢酸ビニル系樹脂、アクリル系樹脂などの合成樹脂、各種エラストマーなどが挙げられる。なお、本明細書において、軟質樹脂及び硬質樹脂は、ＪＩＳ  Ｋ６９００（１９９４）のプラスチック−用語に記載の軟質プラスチック及び硬質プラスチックを意味する。
【００２４】
軟質樹脂で形成された仕切り部材１は、柔らかく、人力で容易に湾曲させることができる。
仕切り部材１（ベース部２及び起立壁部３）は、例えば、軟質の塩化ビニル系樹脂で形成される。軟質の塩化ビニル系樹脂の具体的な組成は、特に限定されず、例えば、ポリ塩化ビニル１００重量部に対し、フタル酸エステルなどの可塑剤を４０重量部〜８０重量部、炭酸カルシウムなどの充填剤を２０質量部〜５０質量部、安定剤を１重量部〜５重量部、滑剤を．５重量部〜３重量部、必要に応じてその他の添加剤を微量含む。前記ポリ塩化ビニルは、例えば、平均重合度が７００〜１２００、好ましくは８００〜１０００のサスペンション塩化ビニルを用いることが好ましい。
また、仕切り部材１の形成材料には、必要に応じて、耐候性改善剤、紫外線吸収剤、防汚剤、抗菌剤、防カビ剤、静電気防止剤などの各種添加物を加えてもよい。或いは、仕切り部材１の表面に、紫外線吸収コーティング、汚れが付着しにくい塗装、抗菌処理、防カビ処理、静電気防止処理などの表面処理を施してもよい。
【００２５】
前記形成材料を押出し成形することにより、ベース部２と起立壁部３が同時に成形された仕切り部材１を得ることができる。
押出し成形品は、通常、非常に長いので、適宜な寸法に裁断することにより、図１乃至図６に示すような奥行きの仕切り部材１が得られる。
【００２６】
本発明の仕切り部材１は、集合建築物の隣接する区画の床面に施工される。集合建築物としては、マンション、アパートなどの集合住宅、オフィスビル、商業施設ビルなどが挙げられる。集合建築物には、部屋などの多数の区画が含まれているが、隣接する区画を仕切るため、隣接する区画の床面上にパーティションが設置されている。このパーティションは、通常時には、防音及び目隠しとして機能し、火災発生時等の非常時には、居住者が突き破って互いに隣接する区画へ抜け出ることができるように構成されている。具体的には、パーティションは、上下横枠及び左右縦枠を含む金属製の枠体に、非常時に居住者が破壊し易い材料で形成されたボードが取り付けられて構成されている。かかるパーティションは、その金属製の枠体の下端は、床面から離れているため、パーティションの下端と床面の間には、間隙が設けられている。このような間隙を塞ぐためにも、本発明の仕切り部材１が、パーティションの下方に設置される。
【００２７】
図７乃至図９は、本発明の仕切り部材１が集合建築物の隣接する区画の床面上に施工された床面仕切り構造を示している。
床面仕切り構造９は、ベランダなどの隣接する区画の床面９１と、前記床面９１の上方に間隙を有して設置されたパーティション９２と、前記間隙に介在され且つ床面９１上に固定された仕切り部材１と、を有する。パーティション９２は、例えば、金属製の枠体９２１と、その枠体９２１に取り付けられたボード９２２と、からなる。
前記床面９１は、例えば、半屋外又は屋外に存在する。かかる床面９１には、その端部に形成された排水溝９３に水を導くため勾配が付けられている。つまり、床面９１は、排水溝９３に向かって徐々に低くなった傾斜面とされている。かかる床面９１の傾斜は、水勾配とも呼ばれており、通常、１／５０以上であり、好ましくは１／５０〜１／４０である。なお、１／５０は、長さ５０ｍに対して１ｍ下がる勾配を意味し、１／４０は、長さ４０ｍに対して１ｍ下がる勾配を意味する。
【００２８】
床面９１とパーティション９２の下端９２ｂとの間の間隙は、施工場所に応じて異なっているが、通常、２０ｍｍ〜１５０ｍｍ程度である（図８参照）。なお、図８は、パーティションの上方部を省略している。
パーティション９２は、金属などからなる支持材やステイなどを介して、建築物の壁面９４に固定されている。
仕切り部材１の奥行き方向がパーティション９２の下端と略平行となり且つパーティション９２の延長線上に起立壁部３が略位置するようにして仕切り部材１が配置され、ベース部２が床面９１に固定されている。
【００２９】
前記床面９１とパーティション９２の下端９２ｂとの間隙に合わせて、起立壁部３の高さを調整する。具体的には、任意の分断用薄肉部４２にて起立壁部３を上下に分断し、高さを調整する。
高さ調整後の仕切り部材１のベース部２を床面９１に固定し、ベース部２の両側縁に床シート９５を接合する。
このような方法で施工された床面仕切り構造９は、ベース部２の両側縁に、図９に示すように、床面９１上に敷設される防水シートなどの床シート９５の端縁がそれぞれ突き合わされる。ベース部２の床面９１に対する固定方法及び床シート９５の床面９１に対する固定方法は、それぞれ独立して、特に限定されないが、一般的には、接着剤９６を用いて固定される。また、必要に応じて、ベース部２の両側縁と床シート９５の側縁の間を、溶接棒９７、シーリング剤又は接着剤によって接合し、両者間の接合強度を高め、水密性を確保してもよい。この接合作業は、施工者が、パーティション９２の下方で行なうこととなるが、前述のように、ベース部２の幅２Ｗが３０ｍｍ〜３００ｍｍであることにより、ベース部２の両側縁と床シート９５の接合箇所がパーティション９２の真下にならず、斜め下に位置するので、良好に接合作業を行える。
なお、上記では、起立壁部３の高さを予め調整した後に仕切り部材１を床面９１に固定したが、仕切り部材１のベース部２を床面９１に固定した後に、起立壁部３の高さを調整してもよい。作業が容易なので、予め起立壁部３を適切な高さに調整した後、仕切り部材１を床面９１に固定するのが好ましい。起立壁部３を、前記軟質樹脂などの軟質材料で形成した場合には、仕切り部材１を床面に固定した後でも起立壁部３の高さ調整を容易に行うことができるので作業性に優れる。
さらに、施工方法は、前述したベース部２の両側縁と床シート９５の側縁とを接合する施工方法に限られず、床シート９５を全面的に床面９１に敷設した後に、その床シート９５の上に仕切り部材１を載置して固定してもよい。この場合、床シート９５とベース部２との固定は、特に限定されないが、例えば、接着剤、粘着テープなどを用いることが挙げられる。さらに、この場合、ベース部２の両側縁には、シール剤などを充填して水密性を高めてもよい。
【００３０】
前記床面９１とパーティション９２の下端９２ｂとの間隙は、施工場所によって異なっているが、本発明の仕切り部材１は、起立壁部３の高さを調整できるため、高さ調整後の起立壁部３Ａにて前記間隙を狭くして略塞いだ状態とした床面仕切り構造９を構築できる。このため、床面９１とパーティション９２の下端９２ｂとの間隙から排水、雨水、ゴミなど進入し難くなり、同時に防音及び目隠しを効果的に担保した床面仕切り構造９を構築できる。
具体的には、本実施形態の仕切り部材１の起立壁部３には、分断用薄肉部４３が奥行き方向に延在されている。この分断用薄肉部４３は、起立壁部３の上下方向において、所望間隔を開けて複数形成されている。分断用薄肉部４３は、起立壁部３の分断用薄肉部４３以外の部分に比して、幅狭であるため、分断し易くなっている。また、左溝部４１及び右溝部４２は向かい合って形成されているので、分断用薄肉部４３を視認し易く、さらに、綺麗に分断することができる。
例えば、図１０に示すように、任意の分断用薄肉部４３にて起立壁部３を切断することにより、図１１に示すように、高さが低くなった起立壁部３Ａを有する仕切り部材１が得られる。起立壁部３の切断は、カッターなどの切断具を用いて行ってもよいが、特に、起立壁部３が軟質樹脂から形成されている場合には、起立壁部３は軟らかく、図１０に示すように、人力で湾曲させながら起立壁部３を分断用薄肉部４３にて分断することもできる。なお、この場合の湾曲の方向は、図１０に示すような高さ方向に限られず、幅方向などでもよい。
【００３１】
本発明の仕切り部材１によれば、起立壁部３の高さを任意に変更できるので、施工場所の間隙の高さに合わせて起立壁部３の高さを調整できる。かかる仕切り部材１を用いて施工することにより、床面９１とパーティション９２の間隙を、隣接する区画の境界部の壁面側から排水溝９３までの全長に亘って略塞いだ起立壁部３を有する床面仕切り構造９を構築できる。
【００３２】
なお、本実施形態において、左溝部４１及び右溝部４２は向かい合って形成されているが、例えば、図１２に示すように、左溝部４１と右溝部４２が起立壁部３の左右において交互に形成されていてもよい。この場合でも左溝部４１及び右溝部４２に対応して、それぞれ分断用薄肉部４３が形成される。また、図１３に示すように、起立壁部３に左溝部４１のみが形成されていてもよい。或いは、特に図示しないが、起立壁部３に右溝部４２のみが形成されていてもよい。これらの変形例は、上記のように左溝部４１及び右溝部４２を向かい合わせて形成した場合に比して、溝部の総数が少なくなる。このように溝部の数が減ると、溝部４１，４２への汚れの堆積を減少させることができる。いずれの構成であって、分断用薄肉部４３の幅４３Ｗが、前述の範囲内になるように、起立壁部３の幅３Ｗ及び溝部４１，４２の深さを調整すればよい。
【００３３】
また、本実施形態において、分断用薄肉部４３を形成する溝部４１，４２の一部又は全てに、分断用薄肉部４３での切断性を阻害しない程度で、ワックスや軟質樹脂などのコート材を埋め込んでもよい。このように構成することで、起立壁部３の切断性を確保しつつ、起立壁部３の表面を可及的に平滑にして防汚効果を高めることができる。この場合、溝部は、その凹が前記コート材にて完全に埋められていてもよく、或いは、カッターでの切断がしやすいように僅かに凹が残存する程度に埋められていてもよい。また、コート材として、透明又は分断用薄肉部４３と異なる色彩のものを用いることにより、分断用薄肉部４３の位置を外見上簡単に判別できるので好ましい。
【００３４】
本発明は、上記第１実施形態に限られず、本発明の意図する範囲で様々に変更できる。以下、他の実施形態を説明するが、その説明に於いては、主として第１実施形態と異なる構成及び効果について説明し、同様の構成などについては、その説明を省略する場合がある。
【００３５】
［第２実施形態］
第２実施形態は、調整手段として上下などに移動可能な起立壁部を有する仕切り部材に関する。
図１４は、第２実施形態の仕切り部材の斜視図であり、図１５は、その仕切り部材の起立壁部を分解した正面図である。
図１４及び図１５において、仕切り部材１は、ベース部２と、ベース部２から上方に立ち上げられた起立壁部３と、を有する。起立壁部３は、上下２つの部分に分割された、上壁部５１及び下壁部５２からなる。
ベース部２は、上記［第１実施形態］で説明したものと同様である。
【００３６】
起立壁部３は、ベース部２の幅方向略中間部から上方に立ち上げられている。起立壁部３は、ベース部２に連結された下壁部５２と、この下壁部５２に着脱可能な上壁部５１と、を有し、上壁部５１は、下壁部５２に上下方向に移動可能な状態で取り付けられている。
下壁部５２の下端部は、ベース部２と一体的に形成されている。もっとも、ベース部２と下壁部５２が別体で形成され、下壁部５２の下端部をベース部２に取り付けるようにしてもよい。
下壁部５２は、ベース部２の奥行き方向全体に亘って延在され、ベース部２から上方に立ち上げられている。下壁部５２は、それぞれ上方に立ち上げられた左壁５２１及び右壁５２２を有し、左壁５２１と右壁５２２の間には、隙間５２３が形成されている。この隙間５２３は、上下方向に延びる縦長凹部であり、この縦長凹部は、ベース部２の奥行き方向全体に延在されている。この隙間５２３（縦長凹部）に、上壁部５１が挿入されている。
【００３７】
上壁部５１は、全体的に板状であり、下壁部５２の隙間５２３に挿入され、隙間５２３に沿って上下方向に移動可能である。上壁部５１の幅は、特に限定されないが、余りに小さいと折れ曲がるおそれがあり、余りに大きいと材料コストが増加する。かかる観点から、上壁部５１の幅は、１ｍｍ〜１０ｍｍが好ましく、２ｍｍ〜７ｍｍがより好ましい。
上壁部５１には、下壁部５２の被係合部に係合する係合部が形成されている。
上壁部５１と下壁部５２の係合方式は、特に限定されないが、簡易に形成でき且つ係合及び解除が容易であることから、凹凸嵌合が好ましい。
凹凸嵌合による場合、上壁部５１に凸部が形成され且つ下壁部５２に上壁部５１の凸部が嵌合する凹部が形成される、或いは、上壁部５１に凹部が形成され且つ下壁部５２に上壁部５１の凹部が嵌合する凸部が形成される。
【００３８】
例えば、図１４及び図１５に示すように、下壁部５２の左壁５２１の内面及び右壁５２２の内面に、それぞれ凹部５２４，５２５が形成されている。以下、起立壁部３の左壁５２１に形成された凹部５２４を「左凹部」と、右壁５２２に形成された凹部５２５を「右凹部」という。
左凹部５２４及び右凹部５２５は、起立壁部３の奥行き方向に延設されている。左凹部５２４及び右凹部５２５は、それぞれ独立して、起立壁部３の奥行き方向全体に亘って延在されていてもよく、或いは、一部分を除いて起立壁部３の奥行き方向に延在されていてもよい。好ましくは、図示例のように、左凹部５２４及び右凹部５２５は、それぞれ起立壁部３の奥行き方向全体に亘って形成される。
【００３９】
左凹部５２４及び右凹部５２５の正面視形状は、特に限定されず、図示したような、正面視略半円状のほか、特に図示しないが、正面視略Ｖ字状などでもよい。
左凹部５２４及び右凹部５２５は、互いに対向するように、幅方向に向かい合って配置されている。また、左凹部５２４及び右凹部５２５は、それぞれ下壁部５２の上下方向において多段に形成されている。さらに、左凹部５２４及び右凹部５２５は、ベース部２の表面と平行に延設されている。
左凹部５２４及び右凹部５２５の上下方向における形成間隔は、特に限定されないが、余りに小さい又は大きいと、起立壁部３の高さ調整の段階が過度に多くなり又は少なくなり過ぎる。かかる観点から、左凹部５２４及び右凹部５２５の上下方向における形成間隔は、５ｍｍ〜２０ｍｍが好ましく、７ｍｍ〜１５ｍｍがより好ましい。左凹部５２４及び右凹部５２５の形成数は、特に限定されず、例えば、２以上であり、好ましくは、３〜１０である。
【００４０】
他方、上壁部５１の左面及び左面には、それぞれ凸部５１４，５１５が形成されている。以下、上壁部５１の左面に形成された凸部５１４を「左凸部」と、右面に形成された凸部５１５を「右凸部」という。
左凸部５１４及び右凸部５１５は、起立壁部３の奥行き方向に延設されている。左凸部５１４及び右凸部５１５は、それぞれ独立して、起立壁部３の奥行き方向全体に亘って延在されていてもよく、或いは、一部分を除いて起立壁部３の奥行き方向に延在されていてもよい。好ましくは、図示例のように、左凸部５１４及び右凸部５１５は、それぞれ起立壁部３の奥行き方向全体に亘って形成される。
左凸部５１４及び右凸部５１５の正面視形状は、特に限定されず、図示したような、正面視略半円状のほか、特に図示しないが、正面視略逆Ｖ字状などでもよい。逆Ｖ字状は、Ｖ字を上下に反転させた形状を意味する。
【００４１】
左凸部５１４及び右凸部５１５は、向かい合って配置されている。また、左凸部５１４及び右凸部５１５は、それぞれ１つだけ形成されていてもよく、或いは、上壁部５１の上下方向において複数多段に形成されていてもよい。上壁部５１が下壁部５２に安定的に係合することから、左凸部５１４及び右凸部５１５は、上壁部５１の上下方向において複数形成されていることが好ましい。左凸部５１４及び右凸部５１５が上下に複数形成される場合、左凸部５１４及び右凸部５１５の上下方向における形成間隔は、下壁部５２の左凹部５２４及び右凹部５２５の上下方向における形成間隔に等しい。左凸部５１４及び右凸部５１５の形成数は、特に限定されず、例えば、１以上であり、好ましくは、３〜１５である。
【００４２】
本実施形態の仕切り部材１も、第１実施形態と同様に、軟質樹脂、硬質樹脂、木材、金属などで形成できるが、好ましくは、塩化ビニル系樹脂などの軟質樹脂から形成される。
本実施形態の仕切り部材１は、上壁部５１を移動させることによって、起立壁部３の高さを調整できる。
本実施形態の仕切り部材１も、上記第１実施形態と同様に、起立壁部３の高さを予め調整した後に仕切り部材１を床面９１に固定して床面仕切り構造を構築してもよく、或いは、仕切り部材１を床面９１に固定した後に、起立壁部３の高さを調整して床面仕切り構造を構築してもよいが、作業が容易であることから、予め起立壁部３の高さを適切に調整した後、仕切り部材１を床面９１に固定するのが好ましい。本実施形態の仕切り部材１を、第１実施形態と同様にして、床面９１上に施工することにより、床面９１とパーティション９２の間隙を略塞いだ起立壁部３Ａを有する床面仕切り構造９を構築できる。
【００４３】
本実施形態において、起立壁部３を、前記硬質樹脂、木材、金属などの硬質材料で形成した場合には、上壁部５１を下壁部５２に対して奥行き方向へスライドさせて両者を分離させた後、高さを変えて、上壁部５１を下壁部５２に再度スライド挿入することによって、起立壁部３の高さを調整することができる。この上壁部５１を奥行き方向にスライド移動させて高さを変更する場合でも、結果的に上壁部５１が下壁部５２に対して上下移動することになる。このような上壁部５１の上下移動作業は、施工場所の状況によっては、仕切り部材１を床面に固定した後では困難な場合がある。このような点をも考慮しても、予め上壁部５１の上下移動作業を行なって起立壁部３を適切な高さに調整した後、仕切り部材１を床面に固定することが好ましい。
一方、起立壁部３を、前記軟質樹脂などの軟質材料で形成した場合には、上壁部５１を前記のように奥行き方向へスライドさせることもでき、或いは、上壁部５１を上下方向へスライドさせて移動させることもできる。このため、起立壁部３の高さ調整を容易に行うことができ、さらに、仕切り部材１を床面に固定した後でも上壁部５１を上下移動させることもできる。もっとも、起立壁部３を軟質材料で形成した場合においても、施工の作業性を考慮すると、起立壁部３の高さを予め調整した後に仕切り部材１を床面９１に固定することが好ましい。
【００４４】
本実施形態において、下壁部５２の隙間５２３に、被係合部である左凹部５２４及び右凹部５２５が上下方向に間隔を開けて複数形成され且つ上壁部５１の係合部である左凸部５１４及び右凸部５１５が少なくとも１つ形成されているので、前記上壁部５１を下壁部５２の隙間５２３に挿入し、上壁部５１の凸部を下壁部５２の凹部に嵌合させることにより、上壁部５１が下壁部５２に位置決めされる。
また、上壁部５１が下壁部５２に対して上下に移動可能であるので、上壁部５１を下壁部５２に対して上下に移動させることができる。このため、図１６に示すように、上壁部５１を下壁部５２の下方に移動させ且つ下壁部５２の下側の凹部５２４，５２５（被係合部）に上壁部５１の凸部５１４，５１５（係合部）を係合させることにより、下壁部５２に対する上壁部５１の上端の高さが低くなる。つまり、起立壁部３の高さを低くすることができる。逆に、上壁部５１を下壁部５２の上方に移動させ且つ下壁部５２の上側の凹部５２４，５２５に上壁部５１の凸部５１４，５１５を係合させることにより、起立壁部３の高さを高くすることができる。
【００４５】
なお、本実施形態において、下壁部５２に隙間５２３が形成され且つ上壁部５１が前記隙間５２３に挿入される起立壁部３を例示したが、例えば、図１７に示すように、上壁部５１が、左壁５１１、右壁５１２及び隙間５１３を有し、その隙間５１３を下壁部５２に挿入することによって、上壁部５１が下壁部５２に対して上下方向に移動可能に構成されていてもよい。なお、図１７では、上壁部５１の係合部として複数の凹部を、下壁部５２の被係合部として複数の凸部を形成した場合を例示している。
【００４６】
［第３実施形態］
第３実施形態は、調整手段として、互いに着脱可能な複数の長状板部を有する起立壁部を有する仕切り部材に関する。
図１８は、第３実施形態の仕切り部材の斜視図である。
図１８において、仕切り部材１は、ベース部２と、ベース部２から上方に立ち上げられた起立壁部３と、を有する。起立壁部３は、独立した複数の長状板部６から構成されている。各長状板部６を上下方向に連結することにより、板状の起立壁部３が構成されている。
ベース部２は、上記［第１実施形態］で説明したものと同様である。
【００４７】
起立壁部３は、ベース部２の幅方向略中間部から上方に立ち上げられている。起立壁部３は、独立した複数の長状板部６を有する。
各長状板部６は、ベース部２の奥行き方向を長手とする細長い長方形状の板状である。
各長状板部６は、ベース部２の奥行き方向全体に亘って延在されている。
長状板部６の幅は、特に限定されないが、余りに小さいと折れ曲がるおそれがあり、余りに大きいと材料コストが増加する。かかる観点から、長状板部６の幅は、１ｍｍ〜１０ｍｍが好ましく、２ｍｍ〜７ｍｍがより好ましい。
長状板部６の高さは、特に限定されないが、余りに小さい又は大きいと、起立壁部３の高さ調整の段階が過度に多くなり又は少なくなり過ぎる。かかる観点から、長状板部６の高さは、５ｍｍ〜２０ｍｍが好ましく、７ｍｍ〜１５ｍｍがより好ましい。なお、各長状板部６の高さは、同じでもよく、或いは、異なっていてもよい。図示例では、全ての長状板部６は同じ高さである。
【００４８】
長状板部６の下面には、上下に隣接して連結される長状板部６の上面の被係合部に係合する係合部が形成されている。
上下に隣接する長状板部６の係合方式は、特に限定されないが、簡易に形成でき且つ係合及び解除が容易であることから、凹凸嵌合が好ましい。この場合、長状板部６の上面に凸部が形成され且つ当該長状板部６の下面に前記凸部が嵌合する凹部が形成される、或いは、長状板部６の上面に凹部が形成され且つ当該長状板部６の下面に前記凹部が嵌合する凸部が形成される。
【００４９】
図示例では、長状板部６の下面に凸部６１が形成され且つ上面に凹部６２が形成されている。前記凸部６１は、奥行き方向に延びて形成された長状突起であり、前記凹部６２は、奥行き方向に延びて形成された長状溝である。強く凹凸嵌合することから、前記凸部６１は、幅狭部６１１と、前記幅狭部６１１よりも幅広の肥大部６１２と、を有する。前記凹部６２は、前記肥大部６１２を包み込んで抱着するように正面視略Ｃ字状の部分を有する。
複数の独立した長状板部６を上下に多段状に積み上げ、下方の長状板部６の凹部６２に上方の長状板部６の凸部６１を嵌合させることによって、起立壁部３が構成されている。
本実施形態の仕切り部材１も、第１実施形態と同様に、軟質樹脂、硬質樹脂、木材、金属などで形成できるが、好ましくは、塩化ビニル系樹脂などの軟質樹脂から形成される。
【００５０】
本実施形態の仕切り部材１は、複数の長状板部６の１つ以上又は全部を取り外すことによって、起立壁部３の高さを調整できる。
本実施形態の仕切り部材１も、上記第１実施形態と同様に、起立壁部３の高さを予め調整した後に仕切り部材１を床面９１に固定して床面仕切り構造を構築してもよく、或いは、仕切り部材１を床面９１に固定した後に、起立壁部３の高さを調整して床面仕切り構造を構築してもよいが、作業が容易であることから、予め起立壁部３を適切な高さに調整した後、仕切り部材１を床面９１に固定するのが好ましい。本実施形態の仕切り部材１を、第１実施形態と同様にして、床面９１上に施工することにより、床面９１とパーティション９２の間隙を略塞いだ起立壁部３Ａを有する床面仕切り構造９を構築できる。
【００５１】
起立壁部３を、前記硬質樹脂、木材、金属などの硬質材料で形成した場合には、長状板部６を奥行き方向へスライドさせる、又は、取り外した長状板部６をスライド挿入することによって、起立壁部３の高さを調整することができる。つまり、任意７の数の長状板部６を奥行き方向にスライドさせて取り外す、又は、任意の数の長状板部６を奥行き方向にスライドさせて取り付けることにより、起立壁部３の高さを調整できる。このような着脱作業は、施工場所の状況によっては、仕切り部材１を床面に固定した後では困難な場合がある。このような点も考慮しても、予め長状板部６の着脱作業を行なって起立壁部３を適切な高さに調整した後、仕切り部材１を床面に固定することが好ましい。
一方、起立壁部３を、前記軟質樹脂などの軟質材料で形成した場合には、長状板部６を前記のように奥行き方向へスライドさせて着脱することもでき、長状壁部６を湾曲させることによって長状板部６を着脱することもできる。このため、起立壁部３の高さ調整を容易に行うことができ、作業性に優れる。もっとも、起立壁部３を軟質材料で形成した場合においても、施工の作業性を考慮すると、起立壁部３の高さを予め調整した後に仕切り部材１を床面９１に固定することが好ましい。
【００５２】
本実施形態において、互いに係合した上下に隣接する長状板部６は、容易に取り外すことができる。従って、上方から１つ又は２つ以上の長状板部６を取り外すことによって、起立壁部３の高さを低くできる。
特に、起立壁部３を構成する各長状板部６が軟質樹脂から形成されている場合には、図１９に示すように、上方の長状板部６を湾曲させることができる。このように長状板部６を湾曲させると、強く凹凸嵌合されている場合でもそれを容易に取り外し又は取り付けることができる。
本実施形態の仕切り部材１も、上記第１実施形態と同様に、起立壁部３の高さを容易に調整できる。かかる仕切り部材１を、第１実施形態と同様にして、床面９１上に施工することにより、床面９１とパーティション９２の間隙を略塞いだ起立壁部３Ａを有する床面仕切り構造９を構築できる。
【００５３】
なお、本実施形態において、長状板部６の下面に凸部６１が形成され且つ上面に凹部６２が形成されているが、例えば、図２０に示すように、長状板部６の上面に凸部６３が形成され且つ下面に凹部６４が形成されていてもよい。
また、各長状板部６の上面及び下面の係合形式は、ブロック玩具のブロック片が有するような嵌合構造でもよい。ブロック玩具のような嵌合構造は、例えば、長状板部６の下面に１つの突起又は複数個の突起列が突設され、且つ、長状板部６の上面の、前記突起又は突起列に対応する位置に、前記突起又は突起列に係合する類似の差込口が凹設される。
このような嵌合構造において、長状板部６の下面の突起又は突起列と長状板部６の上面の差込口は、装着時、互いに嵌まり合って結合する。前記突起又は複数個の突起列の形状は、例えば、円筒形で、差込口の形状は、例えば、中空管形である。また、それらの寸法は、前記円筒形の外周が中空管形の内周と軽い摩擦を生じる程度の大きさであることが好ましい。
【００５４】
［第４実施形態］
第４実施形態は、パーティションの下端と起立壁部の上面との間の隙間を埋めるスペーサーに関する。
上述のように、床面９１には、勾配が付けられている。傾斜面となっている床面９１に、仕切り部材１を取り付けると、起立壁部３の上面も床面９１の勾配に従い傾斜する（図８参照）。他方、パーティション９２は、水平面に対して鉛直に取り付けられているので、図８に示すように、起立壁部３の上面３ｂがパーティション９２の下端９２ｂに対して斜めになり、施工外観が低下するという問題点がある。
かかる問題点に鑑みて、図２１及び図２２に示すようなスペーサー７を起立壁部３の上方部に取り付けてもよい。
【００５５】
かかるスペーサー７は、ベース部２の奥行き方向に延びる長状の本体部７１と、本体部７１の下方に突設され且つ左右に間隔を開けて設けられた左右一対の脚壁部７２，７２と、からなる。
本体部７１及びこれに設けられた一対の脚壁部７２，７２の奥行き方向の長さは、起立壁部３の奥行き方向の長さと同じである。
本体部７１の下面７１ｃは、起立壁部３の上面と平行な平坦面に形成され、本体部７１の上面７１ｂは、本体部７１の下面７１ｃ（起立壁部３の上面）に対して奥行き方向に下がる傾斜面とされている。本体部７１の上面７１ｂの傾斜角度は、床面９１の勾配と略同等に設定される。一般に、ベランダなどの床面９１の排水勾配は、床面上の水が良好に排水されるために、１／５０〜１／４０であるので、本体部７１の上面７１ｂの傾斜角度は、１／５０以上であり、好ましくは１／５０〜１／４０に設定される。
【００５６】
一対の脚壁部７２，７２は、間隔を開けて突設されているが、この間隔は、起立壁部３の幅と同じか、或いは、起立壁部３の幅よりも少し狭いことが好ましい。一対の脚壁部７２，７２の間隔が起立壁部３の幅よりも少し狭いことにより、スペーサー７を起立壁部３の上方部に装着した際に、一対の脚壁部７２，７２が起立壁部３の左右面に強く密着し、スペーサー７を起立壁部３に強固に取り付けることができる。
本実施形態のスペーサー７は、仕切り部材１と同様に、軟質樹脂などの軟質材料、硬質樹脂、木材、金属などの硬質材料で形成できるが、好ましくは、軟質材料、例えば、塩化ビニル系樹脂などの軟質樹脂から形成される。例えば、軟質樹脂を押出し成形し、傾斜面加工を行うことにより、スペーサー７を得ることができる。スペーサー７を軟質材料で形成した場合、スペーサー７を起立壁部３へ取り付ける作業が容易になり、作業性の観点から好ましい。一方、スペーサー７を硬質材料で形成した場合、スペーサー７を起立壁部３へ取り付ける作業において、施工場所の状況によっては、仕切り部材１を床面に固定した後では困難な場合がある。このため、予めスペーサー７を起立壁部３へ取り付けた後、仕切り部材１を床面に固定することが好ましい。
【００５７】
図２３及び図２４は、スペーサー７を取り付けた仕切り部材１を示している。
なお、図２３及び図２４では、便宜上、第１実施形態の仕切り部材１を図示しているが、第２及び第３実施形態の仕切り部材１にスペーサー７を取り付けることもできる。また、図示例では、高さ調整前の仕切り部材１の起立壁部３の上方部にスペーサー７を取り付けた状態を示しているが、起立壁部３の高さを低くした後の起立壁部３の上方部にスペーサー７を取り付けることもできる。
スペーサー７は、仕切り部材１を床面９１に固定した後に起立壁部３に取り付けてもよく、或いは、スペーサー７を起立壁部３に取り付けた後、仕切り部材１を床面に固定してもよい。作業が容易なので、スペーサー７を起立壁部３に取り付けた後、仕切り部材１を床面に固定するのが好ましい。起立壁部３を、前記軟質樹脂などの軟質材料で形成した場合には、仕切り部材１を床面９１に固定した後でも起立壁部３の高さ調整を容易に行うことができるので作業性に優れる。
床面９１に固定した仕切り部材１の起立壁部３の上面３ｂは、ベース部２と平行、つまり、水平面と平行であるが、スペーサー７を取り付けることにより、スペーサー７の上面７１ｂが水平面に対して床面９１の勾配相当分だけ傾斜している。
【００５８】
上記第１実施形態などと同様にして、起立壁部３の高さを調整し、仕切り部材１を床面９１とパーティション９２の下端９２ｂとの間に施工し、起立壁部３の上方部にスペーサー７を取り付けることにより、図２５に示すような床面仕切り構造９を構築できる。なお、スペーサー７を起立壁部３の上方部に取り付けた後、仕切り部材１を施工してもよい。
本実施形態の床面仕切り構造９は、図２５に示すように、パーティション９２の下端９２ｂとスペーサー７の上面７１ｂが略平行となり、施工外観も良好となる。
【００５９】
［第５実施形態］
第５実施形態は、上面が傾斜した仕切り部材に関する。
第４実施形態では、床面９１の勾配に基づく外観不良を防止するため、上面７１ｂが傾斜面とされたスペーサー７を仕切り部材１に取り付けることを提案した。
本実施形態では、起立壁部３そのものの上面３ｂが、高さ調整の前後の何れにおいても傾斜面とされている仕切り部材１を提案するものである。
【００６０】
図２６は、第５実施形態の第１例の仕切り部材の側面図である。なお、図２６では、第１実施形態で示した、分断用薄肉部４３にて分断することによって高さ調整できる仕切り部材１を図示している。
第１実施形態では、ベース部２の奥行き方向に延びる分断用薄肉部４３は、ベース部２と平行、つまり、水平面と平行であるが、本実施形態では、分断用薄肉部４３が水平面に対して床面９１の勾配相当分だけ傾斜するように形成されている。
分断用薄肉部４３（及び分断用薄肉部４３を形成する溝部）は、ベース部２に対して奥行き方向に下がる傾斜状に延設されている。かかる分断用薄肉部４３が上下方向に間隔を開けて複数平行に形成されている。
かかる仕切り部材１も第１実施形態と同様に、分断用薄肉部４３にて起立壁部３を分断することにより、高さ調整を行える。各分断用薄肉部４３は、床面９１の勾配相当分だけ傾斜して形成されているので、分断後に生じる起立壁部３の上面も、分断用薄肉部４３の傾斜に従い床面９１の勾配相当分だけ傾斜した傾斜面となっている。かかる仕切り部材１を施工すると、パーティション９２の下端と起立壁部３の上面が略平行となり、施工外観も良好となる。
【００６１】
図２７は、第５実施形態の第２例の仕切り部材の斜視図である。なお、図２７では、第２実施形態で示した、上壁部５１を移動させることによって高さ調整できる仕切り部材１を図示している。
第２実施形態では、ベース部２の奥行き方向に延びる上壁部５１の上面は、ベース部２と平行、つまり、水平面と平行であるが、本実施形態では、上壁部５１の上面５１ｂが水平面に対して床面９１の勾配相当分だけ傾斜するように形成されている。上壁部５１の上面５１ｂが、ベース部２に対して奥行き方向に下がる傾斜面とされている。
かかる仕切り部材１も第２実施形態と同様に、上壁部５１を下壁部５２に対して上下に移動させることにより、高さ調整を行える。上壁部５１の下壁部５２に対する取り付け位置が変化しても、上壁部５１の上面５１ｂ自体は変わらないので、かかる仕切り部材１を施工すると、パーティション９２の下端と上壁部５１の上面（起立壁部３の上面）が略平行となり、施工外観も良好となる。
【００６２】
図２８は、第５実施形態の第３例の仕切り部材の斜視図である。なお、図２８では、第３実施形態で示した、長状板部６を着脱することによって高さ調整できる仕切り部材１を図示している。
第３実施形態では、ベース部２の奥行き方向に延びる長状板部６の上面は、ベース部２と平行、つまり、水平面と平行であるが、本実施形態では、長状板部６の上面６ｂが水平面に対して床面９１の勾配相当分だけ傾斜するように形成されている。また、長状板部６の下面６ｃも、長状板部６の上面６ｂと平行な傾斜面とされている。すなわち、長状板部６は、側面視で、奥行き方向に長い平行四辺形とされている。
かかる仕切り部材１も第３実施形態と同様に、長状板部６を着脱することにより、高さ調整を行える。例えば、上方の長状板部６を取り外した場合には、その下方に位置する長状板部６の上面６ｂ（つまり、床面９１の勾配相当分だけ傾斜した傾斜面）が起立壁部３の上面となるので、かかる仕切り部材１を施工すると、パーティション９２の下端と上壁部５１の上面（起立壁部３の上面）が略平行となり、施工外観も良好となる。
【００６３】
［第６実施形態］
上記各実施形態では、起立壁部３がベース部２に一体的に形成されているが（ただし、第２実施形態では、起立壁部３の下壁部５２がベース部２に一体的に形成されている）、起立壁部３とベース部２を別体で形成してもよい。
図２９は、本実施形態の仕切り部材１を示している。
なお、図２９では、便宜上、第１実施形態の仕切り部材１を図示しているが、第２実施形態の下壁部５２をベース部２と別体に形成してもよく、或いは、第３実施形態の起立壁部３をベース部２と別体に形成してもよい。
【００６４】
図２９において、ベース部２と起立壁部３は、別体で形成されている。ベース部２の上方には、差し込み溝２６が奥行き方向に延設されている。起立壁部３の下端部には、前記差し込み溝２６に差し入れることができる差し込み突起３６が形成されている。差し込み突起３６は、幅狭部３６１と、肥大部３６２とを有し、肥大部３６２が差し込み溝２６に抱着されている。
かかる起立壁部３は、図３０に示すように、起立壁部３の差し込み突起３６をベース部２の差し込み溝２６に挿入し、起立壁部３をベース部２の奥行き方向にスライドさせることによって、ベース部２に起立壁部３が立ち上げられた仕切り部材１が得られる。
【００６５】
なお、起立壁部３をベース部２と別体で形成し、起立壁部３がベース部２の上方に立ち上がるように両者を組み立てる仕切り部材１にあっては、起立壁部３の左右面とベース部２の差し込み溝２６の間に僅かな隙間が生じる。かかる隙間から差し込み溝２６に水や粉塵などが入り込むことを防止するため、起立壁部３の左右面にカバー部８１が設けられていることが好ましい。このカバー部８１は、ベース部２の奥行き方向全体に延設されている。
なお、ベース部２の両側部には、床シート９５の側部に被さる被さり部８２が延設されている。
かかる仕切り部材１を施工した床面仕切り構造９は、図３１に示すように、床シート９５の両側部に被さり部８２が被さり、床シート９５の裏面側へ水などが回り込むことを確実に防止できる。
【００６６】
［その他の実施形態］
上記各実施形態では、ベース部２の表面は、平坦状に形成されているが、例えば、図２８に示すように、ベース部２の表面がベース部２の両側縁に向かうに従って下がる傾斜面とされていてもよい。また、特に図示しないが、ベース部２の表面に、奥行き方向に延びる排水用凹部が形成されていてもよい。かかる排水用凹部を形成することにより、ベース部２の表面に付着した雨水などを排水溝９３に導くことができる。
また、ベース部２の裏面に凹凸が形成されていてもよい。裏面に凹凸を有するベース部２は、接着剤を用いて床面９１に接着する際に、接着剤のアンカー効果を十分に発揮でき、強固に床面９１に取り付けることができる。
【００６７】
また、本発明は、様々な実施形態から選ばれる２以上の実施形態を適宜組み合わせてもよく、或いは、様々な実施形態から選ばれる１つ又は２つ以上の構成を、それ以外の実施形態に置換してもよい。例えば、第１実施形態で示した一部の構成を、第２実施形態の一部の構成に置換などしてもよい。また、例えば、（１）第１実施形態で示した分断用薄肉部を、第２実施形態の上壁部に設ける、（２）第１実施形態で示した分断用薄肉部を、第３実施形態の長状板部に設ける、（３）第２実施形態で示した上壁部の全体又は一部の領域を、第３実施形態で示したような着脱可能な複数の長状板部で構成する、などのように、適宜組み合わせてもよい。
【符号の説明】
【００６８】
１  仕切り部材
２  ベース部
３  起立壁部
３Ａ  高さ調整後の起立壁部
４３  分断用薄肉部
５１  上壁部
５２  下壁部
６  長状板部
７  スペーサー
９  床面仕切り構造
９１  床面
９２  パーティション
【図１】
2018003416.tif 000003
【図２】
2018003416.tif 000004
【図３】
2018003416.tif 000005
【図４】
2018003416.tif 000006
【図５】
2018003416.tif 000007
【図６】
2018003416.tif 000008
【図７】
2018003416.tif 000009
【図８】
2018003416.tif 000010
【図９】
2018003416.tif 000011
【図１０】
2018003416.tif 000012
【図１１】
2018003416.tif 000013
【図１２】
2018003416.tif 000014
【図１３】
2018003416.tif 000015
【図１４】
2018003416.tif 000016
【図１５】
2018003416.tif 000017
【図１６】
2018003416.tif 000018
【図１７】
2018003416.tif 000019
【図１８】
2018003416.tif 000020
【図１９】
2018003416.tif 000021
【図２０】
2018003416.tif 000022
【図２１】
2018003416.tif 000023
【図２２】
2018003416.tif 000024
【図２３】
2018003416.tif 000025
【図２４】
2018003416.tif 000026
【図２５】
2018003416.tif 000027
【図２６】
2018003416.tif 000028
【図２７】
2018003416.tif 000029
【図２８】
2018003416.tif 000030
【図２９】
2018003416.tif 000031
【図３０】
2018003416.tif 000032
【図３１】
2018003416.tif 000033